【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
入力画像データに対してハーフトーン処理を行い、ハーフトーン画像データを出力するハーフトーン処理手段と、
前記入力画像データと前記ハーフトーン画像データの差分を評価して、前記ハーフトーン処理手段でのハーフトーン処理により生じる各画素の誤差を検出し、誤差データとして出力する誤差検出手段と、
前記誤差データにより前記ハーフトーン画像データを補正処理して第１の画像データを出力する第１の処理手段と、
前記入力画像データに対して前記ハーフトーン処理手段でのハーフトーン処理より解像度の高いハーフトーン処理を行い、第２の画像データを出力する第２の処理手段と、
前記入力画像データの画素の画素値と、当該画素を基準とした第１の範囲の画素の画素値から当該画素での画素値の変化量を検出し、各画素での画素値の変化量を含む変化データとして出力する変化検出手段と、
各画素について、前記誤差検出手段が検出する画素の誤差と、前記変化検出手段が検出する当該画素での画素値の変化量との和に基づく値により当該画素の混合比率を決定する決定手段と、
前記混合比率に従い、前記第１の画像データと前記第２の画像データの画素値を混合して出力画像データを生成する混合手段と、
を備えており、
前記和に基づく値が大きくなると、前記決定手段が決定する前記第２の画像データの混合比率は同じか大きくなることを特徴とする画像処理装置。
【請求項２】
前記和に基づく値が第１の閾値より小さいと、前記決定手段が決定する前記第２の画像データの混合比率は第１の値であり、
前記和に基づく値が第２の閾値より大きいと、前記決定手段が決定する前記第２の画像データの混合比率は第２の値であり、
前記第２の閾値は前記第１の閾値より大きく、
前記和に基づく値が前記第１の閾値以上、かつ、前記第２の閾値以下であると、前記決定手段が決定する前記第２の画像データの混合比率は、前記和に基づく値に比例して大きくなる、
ことを特徴とする請求項１に記載の画像処理装置。
【請求項３】
前記決定手段は、前記誤差検出手段が検出する画素の誤差が、前記ハーフトーン処理手段でのハーフトーン処理により濃度が高くなったことを示している場合、当該画素の誤差を所定の値に変換して当該画素の混合比率を決定することを特徴とする請求項１又は２に記載の画像処理装置。
【請求項４】
前記所定の値は、誤差がないことを示す値であることを特徴とする請求項３に記載の画像処理装置。
【請求項５】
前記誤差検出手段は、
前記入力画像データを平滑化するフィルタ処理を行う第１のフィルタ処理手段と、
前記ハーフトーン画像データに対して前記フィルタ処理を行う第２のフィルタ処理手段と、
前記第１のフィルタ処理手段の出力データと、前記第２のフィルタ処理手段の出力データの階調数を一致させてその差分を求め、前記誤差データとして出力する演算手段と、
を備えていることを特徴とする請求項１から４のいずれか１項に記載の画像処理装置。
【請求項６】
前記第１の処理手段は、
前記誤差データを量子化して量子化データを出力する量子化手段と、
前記ハーフトーン画像データと前記量子化データとを加算する加算処理手段と、
を備えていることを特徴とする請求項１から５のいずれか１項に記載の画像処理装置。
【請求項７】
前記量子化手段は、
前記誤差データの負の誤差の値を零に変換した第１の誤差データと、前記誤差データの正の誤差の値を零に変換した第２の誤差データとを出力する手段と、
前記第１の誤差データに対してハーフトーン処理を行って、前記ハーフトーン処理手段と同じ階調数の第１の量子化データを出力する第１の量子化手段と、
前記第２の誤差データに対してハーフトーン処理を行って、前記ハーフトーン処理手段と同じ階調数の第２の量子化データを出力する第２の量子化手段と、
前記第１の量子化データと前記第２の量子化データとの差を前記量子化データとして出力する減算手段と、
を備えていることを特徴とする請求項６に記載の画像処理装置。
【請求項８】
前記変化検出手段は、
前記入力画像データの画素の画素値と、当該画素を基準とした前記第１の範囲の画素の画素値との差分の最大値を、当該画素での画素値の変化量とすることを特徴とする請求項１から７のいずれか１項に記載の画像処理装置。
【請求項９】
前記第２の処理手段は、
前記入力画像データの各画素について、画素を基準とした第２の範囲にある画素の画素値の重み付き平均を求めるフィルタ処理を行う第３のフィルタ手段と、
前記入力画像データに対して前記ハーフトーン処理手段でのハーフトーン処理より解像度の高いハーフトーン処理を行った後のデータを、前記第３のフィルタ手段の出力データに基づき補正して前記第２の画像データとして出力する補正処理手段と、
を備えており、
前記第２の範囲内の画素に対する重みは、当該画素に対して副走査方向にある画素が主走査方向にある画素より大きく、当該画素に対して主走査方向にある画素が、当該画素に対して主走査方向でも副走査方向でもない画素より大きく、
前記補正処理手段は、前記重み付き平均が大きくなると、画素の濃度が同じか高くなる様に補正する、
ことを特徴とする請求項１から８のいずれか１項に記載の画像処理装置。
【請求項１０】
入力画像データに対してハーフトーン処理を行い、ハーフトーン画像データを出力するハーフトーン処理手段と、
前記入力画像データと前記ハーフトーン画像データの差分を評価して、前記ハーフトーン処理手段でのハーフトーン処理により生じる各画素の誤差を検出し、誤差データとして出力する誤差検出手段と、
前記誤差データにより前記ハーフトーン画像データを補正処理して第１の画像データを出力する第１の処理手段と、
前記入力画像データに対して前記ハーフトーン処理手段でのハーフトーン処理より解像度の高いハーフトーン処理を行い、第２の画像データを出力する第２の処理手段と、
前記入力画像データの画素の画素値と、当該画素を基準とした第１の範囲の画素の画素値から当該画素での画素値の変化量を検出し、各画素での画素値の変化量を含む変化データとして出力する変化検出手段と、
前記変化検出手段が検出する画素での画素値の変化量に基づき当該画素の混合比率を決定する決定手段と、
前記混合比率に従い、前記第１の画像データと前記第２の画像データの画素値を混合して混合データを生成する混合手段と、
前記誤差データに基づき前記混合データを補正して出力画像データを生成する第３の処理手段と、
を備えており、
前記変化検出手段が検出する画素値の変化量が大きくなると、前記決定手段が決定する前記第２の画像データの混合比率は同じか大きくなることを特徴とする画像処理装置。
【請求項１１】
前記第３の処理手段は、
前記混合データの画素のうち、前記誤差データが、前記ハーフトーン処理手段でのハーフトーン処理により濃度が低くなったことを示している画素に対して補正を行うことを特徴とする請求項１０に記載の画像処理装置。
【請求項１２】
入力画像データに対してハーフトーン処理を行い、ハーフトーン画像データを出力するハーフトーン処理手段と、
前記入力画像データと前記ハーフトーン画像データの差分を評価して、前記ハーフトーン処理手段でのハーフトーン処理により生じる各画素の誤差を検出し、誤差データとして出力する誤差検出手段と、
前記誤差データにより前記ハーフトーン画像データを補正処理して第１の画像データを出力する第１の処理手段と、
前記入力画像データに対して前記ハーフトーン処理手段でのハーフトーン処理より解像度の高いハーフトーン処理を行い、前記誤差データで補正して第２の画像データを出力する第２の処理手段と、
前記入力画像データの画素の画素値と、当該画素を基準とした第１の範囲の画素の画素値から当該画素での画素値の変化量を検出し、各画素での画素値の変化量を含む変化データとして出力する変化検出手段と、
前記変化検出手段が検出する画素での画素値の変化量に基づき当該画素の混合比率を決定する決定手段と、
前記混合比率に従い、前記第１の画像データと前記第２の画像データの画素値を混合して出力画像データを生成する混合手段と、
を備えており、
前記変化検出手段が検出する画素値の変化量が大きくなると、前記決定手段が決定する前記第２の画像データの混合比率は同じか大きくなることを特徴とする画像処理装置。
【請求項１３】
前記第２の処理手段は、
前記入力画像データの各画素について、画素を基準とした第２の範囲にある画素の画素値の重み付き平均を求めるフィルタ処理を行う第３のフィルタ手段と、
前記入力画像データに対して前記ハーフトーン処理手段でのハーフトーン処理より解像度の高いハーフトーン処理を行った後のデータに前記誤差データを加算する加算手段と、
前記加算手段の出力データを前記第３のフィルタ手段の出力データに基づき補正して前記第２の画像データとして出力する補正処理手段と、
を備えており、
前記第２の範囲内の画素に対する重みは、当該画素に対して副走査方向にある画素が主走査方向にある画素より大きく、当該画素に対して主走査方向にある画素が、当該画素に対して主走査方向でも副走査方向でもない画素より大きく、
前記補正処理手段は、前記重み付き平均が大きくなると、画素の濃度が同じか高くなる様に補正することを特徴とする請求項１２に記載の画像処理装置。
【請求項１４】
コンピュータを、請求項１から１３のいずれか１項に記載の画像処理装置として機能ささせることを特徴とするプログラム。
【請求項１５】
請求項１４に記載のプログラムを含むことを特徴とするコンピュータ可読記憶媒体。
【請求項１６】
入力画像データに対してハーフトーン処理を行い、ハーフトーン画像データを出力するハーフトーン処理手段と、
前記入力画像データと前記ハーフトーン画像データの差分を評価して、前記ハーフトーン処理手段でのハーフトーン処理により生じる各画素の誤差を検出し、誤差データとして出力する誤差検出手段と、
前記誤差データにより前記ハーフトーン画像データを補正処理して第１の画像データを出力する第１の処理手段と、
前記入力画像データに対して前記ハーフトーン処理手段でのハーフトーン処理より解像度の高いハーフトーン処理を行い、第２の画像データを出力する第２の処理手段と、
前記入力画像データの画素の画素値と、当該画素を基準とした第１の範囲の画素の画素値から当該画素での画素値の変化量を検出し、各画素での画素値の変化量を含む変化データとして出力する変化検出手段と、
各画素について、前記誤差検出手段が検出する画素の誤差と、前記変化検出手段が検出する当該画素での画素値の変化量との和に基づく値により当該画素の混合比率を決定する決定手段と、
前記混合比率に従い、前記第１の画像データと前記第２の画像データの画素値を混合して出力画像データを生成する混合手段と、
を備えており、
前記和に基づく値が大きくなると、前記決定手段が決定する前記第２の画像データの混合比率は同じか大きくなることを特徴とする画像処理システム。
【請求項１７】
入力画像データに対してハーフトーン処理を行い、ハーフトーン画像データを出力するハーフトーン処理手段と、
前記入力画像データと前記ハーフトーン画像データの差分を評価して、前記ハーフトーン処理手段でのハーフトーン処理により生じる各画素の誤差を検出し、誤差データとして出力する誤差検出手段と、
前記誤差データにより前記ハーフトーン画像データを補正処理して第１の画像データを出力する第１の処理手段と、
前記入力画像データに対して前記ハーフトーン処理手段でのハーフトーン処理より解像度の高いハーフトーン処理を行い、第２の画像データを出力する第２の処理手段と、
前記入力画像データの画素の画素値と、当該画素を基準とした第１の範囲の画素の画素値から当該画素での画素値の変化量を検出し、各画素での画素値の変化量を含む変化データとして出力する変化検出手段と、
前記変化検出手段が検出する画素での画素値の変化量に基づき当該画素の混合比率を決定する決定手段と、
前記混合比率に従い、前記第１の画像データと前記第２の画像データの画素値を混合して混合データを生成する混合手段と、
前記誤差データに基づき前記混合データを補正して出力画像データを生成する第３の処理手段と、
を備えており、
前記変化検出手段が検出する画素値の変化量が大きくなると、前記決定手段が決定する前記第２の画像データの混合比率は同じか大きくなることを特徴とする画像処理システム。
【請求項１８】
入力画像データに対してハーフトーン処理を行い、ハーフトーン画像データを出力するハーフトーン処理手段と、
前記入力画像データと前記ハーフトーン画像データの差分を評価して、前記ハーフトーン処理手段でのハーフトーン処理により生じる各画素の誤差を検出し、誤差データとして出力する誤差検出手段と、
前記誤差データにより前記ハーフトーン画像データを補正処理して第１の画像データを出力する第１の処理手段と、
前記入力画像データに対して前記ハーフトーン処理手段でのハーフトーン処理より解像度の高いハーフトーン処理を行い、前記誤差データで補正して第２の画像データを出力する第２の処理手段と、
前記入力画像データの画素の画素値と、当該画素を基準とした第１の範囲の画素の画素値から当該画素での画素値の変化量を検出し、各画素での画素値の変化量を含む変化データとして出力する変化検出手段と、
前記変化検出手段が検出する画素での画素値の変化量に基づき当該画素の混合比率を決定する決定手段と、
前記混合比率に従い、前記第１の画像データと前記第２の画像データの画素値を混合して出力画像データを生成する混合手段と、
を備えており、
前記変化検出手段が検出する画素値の変化量が大きくなると、前記決定手段が決定する前記第２の画像データの混合比率は同じか大きくなることを特徴とする画像処理システム。
【請求項１９】
画像処理装置における画像処理方法であって、
入力画像データに対してハーフトーン処理を行い、ハーフトーン画像データを出力するハーフトーン処理ステップと、
前記入力画像データと前記ハーフトーン画像データの差分を評価して、前記ハーフトーン処理ステップでのハーフトーン処理により生じる各画素の誤差を検出し、誤差データとして出力する誤差検出ステップと、
前記誤差データにより前記ハーフトーン画像データを補正処理して第１の画像データを出力する第１の処理ステップと、
前記入力画像データに対して前記ハーフトーン処理ステップでのハーフトーン処理より解像度の高いハーフトーン処理を行い、第２の画像データを出力する第２の処理ステップと、
前記入力画像データの画素の画素値と、当該画素を基準とした第１の範囲の画素の画素値から当該画素での画素値の変化量を検出し、各画素での画素値の変化量を含む変化データとして出力する変化検出ステップと、
各画素について、前記誤差検出ステップで検出した画素の誤差と、前記変化検出ステップで検出する当該画素での画素値の変化量との和に基づく値により当該画素の混合比率を決定する決定ステップと、
前記混合比率に従い、前記第１の画像データと前記第２の画像データの画素値を混合して出力画像データを生成する混合ステップと、
を含み、
前記和に基づく値が大きくなると、前記決定ステップで決定する前記第２の画像データの混合比率は同じか大きくなることを特徴とする画像処理方法。
【請求項２０】
画像処理装置における画像処理方法であって、
入力画像データに対してハーフトーン処理を行い、ハーフトーン画像データを出力するハーフトーン処理ステップと、
前記入力画像データと前記ハーフトーン画像データの差分を評価して、前記ハーフトーン処理ステップでのハーフトーン処理により生じる各画素の誤差を検出し、誤差データとして出力する誤差検出ステップと、
前記誤差データにより前記ハーフトーン画像データを補正処理して第１の画像データを出力する第１の処理ステップと、
前記入力画像データに対して前記ハーフトーン処理ステップでのハーフトーン処理より解像度の高いハーフトーン処理を行い、第２の画像データを出力する第２の処理ステップと、
前記入力画像データの画素の画素値と、当該画素を基準とした第１の範囲の画素の画素値から当該画素での画素値の変化量を検出し、各画素での画素値の変化量を含む変化データとして出力する変化検出ステップと、
前記変化検出ステップで検出する画素での画素値の変化量に基づき当該画素の混合比率を決定する決定ステップと、
前記混合比率に従い、前記第１の画像データと前記第２の画像データの画素値を混合して混合データを生成する混合ステップと、
前記誤差データに基づき前記混合データを補正して出力画像データを生成する第３の処理ステップと、
を含み、
前記変化検出ステップで検出する画素値の変化量が大きくなると、前記決定ステップで決定する前記第２の画像データの混合比率は同じか大きくなることを特徴とする画像処理方法。
【請求項２１】
画像処理装置における画像処理方法であって、
入力画像データに対してハーフトーン処理を行い、ハーフトーン画像データを出力するハーフトーン処理ステップと、
前記入力画像データと前記ハーフトーン画像データの差分を評価して、前記ハーフトーン処理ステップでのハーフトーン処理により生じる各画素の誤差を検出し、誤差データとして出力する誤差検出ステップと、
前記誤差データにより前記ハーフトーン画像データを補正処理して第１の画像データを出力する第１の処理ステップと、
前記入力画像データに対して前記ハーフトーン処理ステップでのハーフトーン処理より解像度の高いハーフトーン処理を行い、前記誤差データで補正して第２の画像データを出力する第２の処理ステップと、
前記入力画像データの画素の画素値と、当該画素を基準とした第１の範囲の画素の画素値から当該画素での画素値の変化量を検出し、各画素での画素値の変化量を含む変化データとして出力する変化検出ステップと、
前記変化検出ステップで検出する画素での画素値の変化量に基づき当該画素の混合比率を決定する決定ステップと、
前記混合比率に従い、前記第１の画像データと前記第２の画像データの画素値を混合して出力画像データを生成する混合ステップと、
を含み、
前記変化検出ステップで検出する画素値の変化量が大きくなると、前記決定ステップで決定する前記第２の画像データの混合比率は同じか大きくなることを特徴とする画像処理方法。
【手続補正２】
【補正対象書類名】明細書
【補正対象項目名】発明の名称
【補正方法】変更
【補正の内容】
【発明の名称】画像処理装置、画像処理システム、画像処理方法、プログラム及びコンピュータ可読記憶媒体
【手続補正３】
【補正対象書類名】明細書
【補正対象項目名】０００１
【補正方法】変更
【補正の内容】
【０００１】
本発明は、ハーフトーン処理による画質劣化を抑える画像処理装置、画像処理システム、画像処理方法、プログラム及びコンピュータ可読記憶媒体に関する。
【手続補正４】
【補正対象書類名】明細書
【補正対象項目名】０００６
【補正方法】変更
【補正の内容】
【０００６】
本発明は、電子写真方式の画像形成装置で印刷を行う際に、画質の劣化を抑える画像処理装置、画像処理システム、画像処理方法、プログラム及びコンピュータ可読記憶媒体を提供するものである。